(57)【要約】【課題】用紙束を挟んでいる外側用紙にしわができることなく良好な状態で排出する。【解決手段】搬送方向最先端の面の、排出方向先端部分を露出させて支持する支持板６を設ける。この最先端の面の露出部分を吸着して後方の用紙束から引き離す吸着パッド９を設ける。最先端の面の露出部分の、支持板６と吸着パッド９との間に、最先端の面に接触して回動するコロ７を設ける。このコロ７は回転軸８に支持、固定され、この回転軸８の端にはブレーキホイール11が固定されていてこのブレーキホイール11にブレーキ機構部12でブレーキをかける。従ってコロ７にブレーキがかかる。このブレーキの制御は、ブレーキ制御部13で、吸着パッド９を引き離すタイミングではブレーキをかけ、次工程方向へと排出するタイミングでは解除するようにする。【選択図】図１
2008162796.tif 000002
【特許請求の範囲】
【請求項１】
１枚ものの用紙複数枚を、又は、複数枚の用紙を重ね合せてその外側から１枚の用紙で挟み込んでひとまとめした用紙束複数セットを、積層してその積層最先端の面を、排出方向先端部分が露出するように支持板で保持し、前記積層最先端の面の露出している部分を吸着パッドで吸引して最先端の１枚の用紙又は最先端の１セットの用紙の束のみを引き起こして次工程方向へと排出する給紙装置であって、前記吸着パッドより排出方向上流部分に設けられ、前記積層最先端の面に接触してその排出動作で回動するコロと、
このコロにブレーキをかけるブレーキ手段と、
このブレーキ手段により、前記吸着パッドで前記用紙又は用紙の束を引き起こすタイミングでは前記コロにブレーキをかけ、吸着した用紙又は用紙の束を次工程方向へと排出するタイミングでは解除するように制御するブレーキ制御手段と、を有することを特徴とする給紙装置。
【請求項２】
前記コロは、前記用紙又は用紙の束に対し、その排出方向と直交する幅方向に複数設けられ、これら複数のコロが同時に動作する構造であることを特徴とする請求項１記載の給紙装置。
【発明の詳細な説明】
【技術分野】
【０００１】
本発明は、１枚の用紙又は１セット分の用紙束を積層部分から引き離して次工程方向へと排出する給紙装置の技術分野に属する。
【背景技術】
【０００２】
配達される新聞の間に、広告などの用紙が挟み込まれることが多くなってきた。挟み込まれる用紙の中には、１枚ものの用紙もあるし、用紙を複数枚重ね合わせてその外側を更に１枚の用紙で挟み込む形のものもある。
【０００３】
図３は新聞に挟み込まれる用紙束の一例を示す斜視図及び、この用紙束を複数セット積層しておいてその中から１セットずつ取り出す給紙装置の一例を示す側面図であり、図３の（ａ）には複数枚の用紙２を重ね合わせ更にその外側を１枚の用紙３で挟み込んだ形状の用紙束１が示されており、図３の（ｂ）には、このような用紙束１を複数セット積層して、その積層最先端の１セットのみを取り出して次工程方向へと排出する給紙装置４Ａが示されている。
【０００４】
この給紙装置４Ａは、まず、搬送部５の搬送方向先端部分に対し、この搬送部５と直交する支持板６が設けられており、この搬送部５上に、用紙束１を複数セット、搬送方向に積層しその積層最先端の面が支持板６に接触している。支持板６は、積層最先端の面の下方（排出方向先端側）が露出するように、この面を部分的に支持するようになっており、この露出している部分を吸着パッド９で吸着して矢印方向に移動し、最先端の１セットを後方の用紙束から引き離して、回動する排出主動ローラ１４と排出従動ローラ１５との間に挟み込んで、この１セットの用紙束１を次工程方向へと排出する構成となっている。
【０００５】
また、最先端の面の支持板６との境界近くにはこの面に接触して回動するコロ７が、回転軸８に支持されて設けられている。
この給紙装置の構成に近い構成の給紙装置が、特許文献１にも示されている。
【０００６】
この給紙装置は、広告の束（ちらし束Ａ）を縦方向に若干傾斜させて積載し、これを支持板（ストッパ柵９）によってその最前面の排出方向先端部分（下端）を露出させて支持し、この広告の束の最先端の１部を吸着パッド（吸盤１１）によってめくり上げ、後方の用紙束から引き離して、駆動ローラ１３とフリーローラ１５とによって、この引き離された１部の先端を挟み込み、下方へ取り出すようになっている。この取り出しの際には、ストッパ柵９との摩擦を軽減してその取り出しが容易となるように、回転自在のフリーローラ５７が設けられている（例えば、特許文献１、図１〜図４参照）。
【特許文献１】特許第３４３８１５０号公報（図１〜図４）
【発明の開示】
【発明が解決しようとする課題】
【０００７】
しかしながら、上述した背景技術における２つの例の給紙装置では、吸着パッド９（吸盤１１）で最先端の１部を後方の用紙束から引き離す際に、コロ７が広告（用紙）と転動して回動してしまい、最前端の１部がたわんでしまう。この様子を図４に示す。
【０００８】
図４は吸着パッドで吸引して排出主動ローラ１４に押し付ける際に用紙束を挟み込んでいる外側の用紙がたわむ状態を示す側面図である。
図４に示すように外側の用紙３がたわんでしまうので、これら用紙がしわになったり、給紙装置それ自体にジャムが発生するなどの原因となる。
特に、新聞に折り込む広告用紙の束は、複数枚重ね合わせた広告用紙を、その外側から１枚の折り曲げた広告用紙で挟む形となっており、この最も外側の折り曲げた広告用紙を吸着することになる。
このとき、折り曲げた広告用紙のコロに当接している部分が、他の広告用紙、用紙束に対して先行して送り出され、この結果、折り曲げられた広告用紙の先端部分が折れてしまい見栄えが低下したり、装置にジャムが発生する原因ともなっていた。
【０００９】
本発明の課題は、上記背景技術における問題点に鑑みて、用紙にしわ等が発生することなく良好な状態で次工程方向へ排出することができて、装置にジャムが発生することのない給紙装置を提供することにある。
【課題を解決するための手段】
【００１０】
上記の課題を解決するために、本発明は次の各構成を有する。
本発明の第１の構成は、１枚ものの用紙複数枚を、又は、複数枚の用紙を重ね合せてその外側から１枚の用紙で挟み込んでひとまとめした用紙束複数セットを、積層してその積層最先端の面を、排出方向先端部分が露出するように支持板で保持し、前記積層最先端の面の露出している部分を吸着パッドで吸引して最先端の１枚の用紙又は最先端の１セットの用紙の束のみを引き起こして次工程方向へと排出する給紙装置であって、前記吸着パッドより排出方向上流部分に設けられ、前記積層最先端の面に接触してその排出動作で回動するコロと、
このコロにブレーキをかけるブレーキ手段と、
このブレーキ手段により、前記吸着パッドで前記用紙又は用紙の束を引き起こすタイミングでは前記コロにブレーキをかけ、吸着した用紙又は用紙の束を次工程方向へと排出するタイミングでは解除するように制御するブレーキ制御手段と、を有することを特徴とする給紙装置である。
【００１１】
本発明の第２の構成は、前記第１の構成において、前記コロは、前記用紙又は用紙の束に対し、その排出方向と直交する幅方向に複数設けられ、これら複数のコロが同時に動作する構造であることを特徴とする給紙装置である。
【発明の効果】
【００１２】
本発明の第１の構成（基本構成）においては、積層最先端の用紙の面に接触するコロに対し、吸着パッドでこの用紙を吸着して他から引き起こすタイミングではブレーキをかけ、吸着した用紙を次工程方向へと排出するタイミングではブレーキを解除するように制御しているので、用紙束を挟み込んでいる外側用紙のみを引き出すということがなく、用紙にしわが発生することなく、用紙又は用紙束を整然と次工程方向へと排出することができて、用紙の見栄えをそこなうことなく、従って、装置そのもののジャム発生を防止することができる、という効果がある。
【００１３】
本発明の第２の構成においては、排出される用紙の幅方向に複数のコロを設けてこれらコロが同時に動作する構造となっているので、幅の広い用紙であっても、この用紙にしわ等が発生することはなく、用紙の見栄えを確保し、かつ装置のジャム発生を防ぐことができる、という利点がある。
【発明を実施するための最良の形態】
【００１４】
まず、積層最先端の面に接触して回動するコロは、用紙又は用紙束を排出する方向と直交する方向の両端まで延在し、この両端部分で支持される回転軸に固定、支持されて積層最先端の面に接触、回動する構造とするのが、コロを支持する構造体で用紙の排出動作が制約されることはないので最良である。
更にコロの数は複数とするのが望ましい。
【００１５】
次に、上記コロに対してブレーキをかけるブレーキ手段は、このコロを固定、支持する上記回転軸の端に固定されて回動するブレーキホイールと、このブレーキホイールにブレーキをかけるブレーキ機構部と、を備えた構造、構成とするのが、ブレーキ手段の構成体で用紙の移動、排出動作が制約されることはないので最良である。
また、ブレーキ制御手段は、チップ型の集積回路、即ち、ＩＣチップで形成するのがスペース的にも最良である。
【実施例】
【００１６】
以下、本発明の実施例を図面を参照しながら説明する。
図１は本発明の実施例を示す構成及び一部側面図、図２の（ａ）,（ｂ）,（ｃ）はその動作手順を示す側面図であり、図２の（ａ）は最先端用紙束引き離し前の状態、図２の（ｂ）は最先端用紙束引き離し後の状態、図２の（ｃ）は引き離された用紙束を排出し始めた状態を示している。
【００１７】
この実施例において、搬送部５の搬送方向先端部分に、この搬送部５と直交する支持板６が設けられており、この搬送部５上に、用紙束１を複数セット搬送方向に、積層してその積層最先端の面を支持板６に接触させて保持しておき、支持板６から露出している部分を吸着パッド９で吸着して後方の用紙束から引き離し、排出主動ローラ１４及び排出従動ローラ１５に挟み込んで、次工程方向へと排出する構造及び構成、積層最先端の面の支持板６から露出している部分に接触するコロ７が回転軸で支持されて回動する構造、構成は背景技術と同様である。
【００１８】
この実施例が上述した背景技術と異なり、本願発明の特徴とも言える構造、構成は、コロ７を保持してこれを回動させる回転軸８の端の部分に、ブレーキホイール１１を設けて、このブレーキホイール１１にブレーキ機構部１２でブレーキをかけるようになっている。ブレーキの動作は、ブレーキ制御部１３により制御するようになっており、吸着パッド９で用紙束１のうちの最先端の１セットを他から引き起こすタイミングではブレーキをかけ、吸着した用紙束１を次工程方向へと排出するタイミングではブレーキを解除するようにしている。なお、ブレーキホイール１１とブレーキ機構部１２とによりブレーキ手段を構成する。
この実施例における動作手順を図２の（ａ）,（ｂ）,（ｃ）に示す。
【００１９】
まず、図２の（ａ）に示すように、積層されている用紙束１の搬送方向最先端の面を吸着パッド９で吸着し、図２の（ｂ）に示すように、吸着パッド９を移動させて最先端の用紙束１を１セットだけ後方の用紙束から引き離し、排出主動ローラ１４のところまで持って行く。続いて排出従動ローラ１５を前進させて、図２の（ｃ）のように用紙束１を排出主動ローラ１４との間に挟み込んで、この用紙束１を排出する。
【００２０】
この動作手順において、図２の（ａ）の、吸着パッド９で１セットの用紙束１を後方の用紙束から引き離すタイミングでは、コロ７にブレーキがかかっている状態となっているので、用紙束１の、複数の用紙２を挟み込んでいる外側の用紙３（図３（ａ）参照）を含めて、これら用紙全体がコロ７で押し付けられ、背景技術のように外側の１枚だけが先行することはなく、図２の（ｃ）に示すように、これら用紙を同時に次工程方向へと排出することができ、用紙にしわが発生することがなく、従って装置自体にもジャムが発生することはない。
【００２１】
なお、図１，図２には示されていないが、コロ７は用紙又は用紙束の幅方向に対し、即ち、用紙排出方向と直交する方向に、複数個設けられており、これらコロが同時に動作するように、１つの回転軸８に取り付けられている。
このような構造とすることにより、幅の広い用紙であっても、その全体をバランス良く同時に移動させることができて、しわの発生を防ぐことができる。
【００２２】
また、ブレーキ手段１０は、回転軸８の端部分に設けると、全体のスペースを有効に使うことができる。
更に、ブレーキ制御部１３は半導体ＩＣチップを適用するのが良く、装置の小型化に効果的である。
【図面の簡単な説明】
【００２３】
【図１】本発明の実施例を示す構成及び一部側面図である。
【図２】図１に示された実施例の動作手順を示す動作順の側面図である。
【図３】背景技術を説明するための、給紙装置で処理する用紙束の例の斜視図、及び複数の用紙束を積層、排出する給紙装置の側面図である。
【図４】背景技術における給紙装置の問題点を説明するための側面図である。
【符号の説明】
【００２４】
１  用紙束
２，３  用紙
４，４Ａ  給紙装置
５  搬送部
６  支持板
７  コロ
８  回転軸
９  吸着パッド
１０  ブレーキ手段
１１  ブレーキホイール
１２  ブレーキ機構部
１３  ブレーキ制御部
１４  排出主動ローラ
１５  排出従動ローラ
【図１】
2008162796.tif 000003
【図２】
2008162796.tif 000004
【図３】
2008162796.tif 000005
【図４】
2008162796.tif 000006